(57)【要約】      （修正有）【課題】表示部とリング状部材とに一体感を持たせて計器全体の見栄えの低下を抑制することができる計器を提供する。【解決手段】計器は、計測量を表示する表示部と、表示部の前面側に位置し、表示部を透かして視認させる透光板と、透光板の前面側端部を覆う前部８ａを有するリング状部材８と、透光板の表示部側の面に設けられ、可視光の波長以下のピッチで配列された複数の錐状突起を有する反射防止部と、を備える。表示部は、透光性の基板の前面に所定の模様をなす微細凹凸部１１ｅが形成され、基板の背面に所定の色調である地色層が形成されてなる表示板１１を有し、リング状部材８は、前部８ａに地色層と同様の色調である他の地色層、及び／あるいは、微細凹凸部１１ｅと同様の模様をなす他の微細凹凸部８ｄが形成される。【選択図】図５
2018132429.tif 000002
【特許請求の範囲】
【請求項１】
計測量を表示する表示部と、
前記表示部の前面側に位置し、前記表示部を透かして視認させる透光板と、
前記透光板の前面側端部を覆う前部を有するリング状部材と、
前記透光板の前記表示部側の面に設けられ、可視光の波長以下のピッチで配列された複数の錐状突起を有する反射防止部と、を備え、
前記表示部は、透光性の基板の前面に所定の模様をなす微細凹凸部が形成され、前記基板の背面に所定の色調である地色層が形成されてなる表示板を有し、
前記リング状部材は、前記前部に前記地色層と同様の色調である他の地色層、及び／あるいは、前記微細凹凸部と同様の模様をなす他の微細凹凸部が形成されてなる、
ことを特徴とする計器。
【請求項２】
前記表示板は、前記基板の前面に前記模様をなす前記微細凹凸部が形成され、前記基板の背面に前記色調である前記地色層が形成されてなるリング状領域を備えてなる、
ことを特徴とする請求項１に記載の計器。
【発明の詳細な説明】
【技術分野】
【０００１】
本発明は、計器に関し、詳しくは、微細な錐状突起を有する反射防止部を備える計器に関する。
【背景技術】
【０００２】
微細な錐状突起を有する反射防止部を備えた計器として、特許文献１に開示されたものがある。特許文献１に記載の計器は、カバープレートの背面に、可視光の波長以下のピッチで配置された複数の錐状凸部を有するフィルム（いわゆるモスアイ（蛾の眼）構造を利用したフィルム）を設けることにより、外光反射の低減を試みたものである。
【先行技術文献】
【特許文献】
【０００３】
【特許文献１】特開２０１５−７８９２４号公報
【発明の概要】
【発明が解決しようとする課題】
【０００４】
特許文献１に記載の計器は、カバープレート背面の全面に渡って前記のフィルム（反射防止部）が設けられているため、カバープレートを透かして視認する表示部が鮮明に見えることで、高級感を得ることができる。一方、計器においては、加飾を目的としてカバープレートの前面側端部を覆うリング状部材を設けることが一般的に行われる。しかし、反射防止部により鮮明に見える表示部に対してリング状部材に何ら対策を施さないと双方の一体感が損なわれ、計器全体としての見栄えが低下する虞がある。
【０００５】
本発明は、上記実情に鑑みてなされたものであり、反射防止部を備える計器において、表示部とリング状部材とに一体感を持たせて計器全体の見栄えの低下を抑制することができる計器を提供することを目的とする。
【課題を解決するための手段】
【０００６】
上記目的を達成するため、本発明に係る計器は、計測量を表示する表示部と、
前記表示部の前面側に位置し、前記表示部を透かして視認させる透光板と、
前記透光板の前面側端部を覆う前部を有するリング状部材と、
前記透光板の前記表示部側の面に設けられ、可視光の波長以下のピッチで配列された複数の錐状突起を有する反射防止部と、を備え、
前記表示部は、透光性の基板の前面に所定の模様をなす微細凹凸部が形成され、前記基板の背面に所定の色調である地色層が形成されてなる表示板を有し、
前記リング状部材は、前記前部に前記地色層と同様の色調である他の地色層、及び／あるいは、前記微細凹凸部と同様の模様をなす他の微細凹凸部が形成されてなる、
ことを特徴とする。
【発明の効果】
【０００７】
本発明によれば、表示部とリング状部材とに一体感を持たせて計器全体の見栄えの低下を抑制することができる。
【図面の簡単な説明】
【０００８】
【図１】本発明の第１実施形態に係る計器を示す図であり、（ａ）は平面図、（ｂ）は図１（ａ）に示すＡ−Ａ線概略断面図である。
【図２】図１（ｂ）に示すＢ部の拡大図である。
【図３】図１（ｂ）に示すＣ部の拡大図である。
【図４】（ａ）図１（ａ）に示すＡ−Ａ線断面図であり、（ｂ）図１（ａ）に示すＦ−Ｆ線断面図である。
【図５】図１（ａ）に示すＧ部の拡大図である。
【図６】図１（ａ）に示すＨ−Ｈ線断面図である。
【発明を実施するための形態】
【０００９】
本発明の一実施形態について図面を参照して説明する。
【００１０】
（第１実施形態）
第１実施形態に係る計器１００は、図１（ａ）（ｂ）に示すように、指針１０によって計測量を表示する指針式計器として構成されている。計器１００は、例えば車両に搭載され、車速、エンジン回転数、残燃料などの車両に関する計測量をユーザ（主に運転者）に表示する。本実施形態において、計器１００は、車両に関する計測量として吸気圧（過給圧）を表示するいわゆるターボ計であり、吸気圧を−１００ｋＰａ〜＋２００ｋＰａまでの範囲で表示可能である。
【００１１】
以下では、構成の理解を容易にするために、計器１００を断面で表した図１（ｂ）における上側を「前面側」、下側を「背面側」として、計器１００を構成する各部を適宜、説明する。なお、見易さを考慮し、図１（ｂ）、図３（図４も同様）において断面を示すハッチングを適宜省略した。
【００１２】
計器１００は、図１（ａ）（ｂ）〜図３に示すように、表示部１と、透光板２と、反射防止部３と、ケース４と、見返し部材５と、パッキン６と、ベゼル７と、リング状部材８と、を備える。なお、図３では、リング状部材８を省略して図示している。
【００１３】
表示部１は、前述した車速などの計測量を表示するものであり、指針１０と、表示板１１と、回路基板１２と、中ケース１３と、を備える。
【００１４】
指針１０は、表示板１１の前面側で回転可能となっており、表示板１１に形成された指標部１１ａ（図１（ａ）参照）を指示する。指標部１１ａは、目盛、数値などから構成される。表示部１は、指針１０の指示箇所と指標部１１ａとを対比判読させることによって、ユーザに計測量を報知する。なお、指針１０は、少なくとも一部が導光部材により形成され、光源Ｌ１、Ｌ２からの光を受けて発光可能となっている。また、指標部１１ａは、透光性を有して形成され、表示板用光源Ｌ３からの光を受けて発光可能となっている。
【００１５】
表示板１１については、後で詳述する。
【００１６】
回路基板１２は、プリント回路板からなり、指針１０を回転駆動するモータ１４（例えばステッピングモータ）や、指針１０を照明する光源Ｌ１、Ｌ２や、表示板１１を照明する表示板用光源Ｌ３などが実装されている。モータ１４は、その回転軸１４ａに取り付けられた指針１０を、計測量に応じて回転させる。
【００１７】
回路基板１２に実装された部品は、図示しない制御部の制御の下で動作する。制御部は、マイクロコンピュータ等から構成され、ＥＣＵ（Electronic Control Unit）や、車速センサ等の各種センサから、各種の計測量を示すデータを取得する。このように取得したデータに基づいて、制御部は、モータ１４を駆動して、車速などの計測量に応じた回転角だけ指針１０を回転させる。また、制御部は、光源Ｌ１、Ｌ２や表示板用光源Ｌ３の点灯制御を行う。
【００１８】
中ケース１３は、表示板１１と回路基板１２との間に位置し、表示板１１を支持する。中ケース１３は、所定の樹脂から例えば白色に形成され、表示板用光源Ｌ３が発した光を効率良く表示板１１へと導く照明室１３ａを有している。照明室１３ａよりも回転軸１４ａ側には、光源Ｌ１、Ｌ２が発した光を指針１０へと導く導光部材１５が設けられている。
【００１９】
透光板２は、ＰＭＭＡ（ポリメタクリル酸メチル樹脂）などの透光性の樹脂からなり、表示部１の前面側に位置する。透光板２は、図１（ａ）に示すように、平面視で円状に形成されている。
【００２０】
反射防止部３は、図２に拡大して示すように、フィルム状の基材３０に、モスアイ構造の凹凸層３１がコーティングされることで構成されるフィルム（シート）である。反射防止部３は、高透明性を有する粘着剤Ｓによって透光板２の背面に密着固定されている。なお、反射防止部３は、透光板２を射出成形する際に、透光板２に溶融固着されてもよい。
【００２１】
反射防止部３は、透光板２の端部２ａ（図３参照）を避けるように、透光板２よりも一回り小さい円状に形成されている。反射防止部３の形成領域については後に詳述する。
【００２２】
基材３０は、トリアセチルセルロース（ＴＡＣ）、ポリエチレンテレフタラート（ＰＥＴ）、ポリカーボネート（ＰＣ）等の樹脂から形成されている。基材３０としては、例えば厚さ５〜３００μｍ程度で、光学的特性に優れた材料が選定される。
【００２３】
凹凸層３１は、モスアイ構造で形成されるものであり、複数の錐状突起３１ａが、可視光の波長以下の配列ピッチＰで二次元的（基材３０の背面に沿って）に配列されることで構成されている。
【００２４】
錐状突起３１ａの配列ピッチＰは、可視光の波長以下であれば特に限定されるものではないが、反射率の波長依存性に影響を及ぼすため、目的に応じて適切な値となるように形成されている。配列ピッチＰは、例えば、１００ｎｍ程度に設定されている。なお、配列ピッチＰは、数十ｎｍ〜数百ｎｍの範囲で適宜変更が可能である。錐状突起３１ａの高さＨも、反射率の波長依存性に影響を及ぼすため、目的に応じて適切な値となるように形成されている。例えば、高さＨは、数１００ｎｍ程度である。
【００２５】
なお、錐状突起３１ａにおける「錐状」とは、完全な円錐や角錐だけを意味せず、概ね錐体状であればよく、先細りになっている形状（断面楔状）であればよい。また、錐状突起３１ａの先端部は、図２に示すように曲面状であってもよく、尖っていなくともよい。また、錐状突起３１ａの先端部を平坦にすることもできる。錐状突起３１ａは、モスアイ構造を実現するために少なくとも先細りに形成される必要があるが、製造上の制約や目的に応じてその詳細構造は適宜変更可能である。
【００２６】
反射防止部３は、基材３０上に、光硬化性（ＵＶ（Ultraviolet）、ＥＢ（Electron  Beam）硬化性など）を有する樹脂層を形成後、スタンパでモスアイ形状を転写し、光照射により当該樹脂層を硬化させることで凹凸層３１を形成して、製造される。なお、凹凸層３１は、後述するように親水性を有して形成されることが好ましい。
【００２７】
このように、透光板２に、モスアイ構造を利用した反射防止部３を設けることにより、計器１００外部から入射し、透光板２から、透光板２と表示部１との間の空気層へと透過する光について、屈折率を連続的に変化させることができる（屈折率に不連続な界面が生じることを避けることができる）。このため、入射光が透光板２の背面で界面反射することが抑制され、外景や太陽光、照明の映り込みが少なくなり、表示部１の視認性が向上する。また、このように反射防止部３が設けられた透光板２においては、表示部１から出射された光（指針１０の照明光や、表示板１１の照明光）の透過率が高まるため、光源Ｌ１、Ｌ２や表示板用光源Ｌ３の発光輝度を必要以上に大きくする必要がなく、計器１００の消費電力を抑えることができる。
【００２８】
なお、透光板２の前面に、ＡＲ（Anti-Reflective）コートを施し、さらに反射低減効果を得るようにしてもよい。ＡＲコートは、例えば、フッ化マグネシウムなどを真空蒸着させる手法で形成される。
【００２９】
ケース４は、樹脂や金属などから有底筒状に形成され、表示部１を収容する。図３に示すように、ケース４の開口端には、ケース４の外径方向に突出するフランジ４ａが形成されている。
【００３０】
見返し部材５は、規定部材の一例であり、所定の樹脂などから例えば黒色に形成され、計器１００内部の不要な部分を覆い隠すものである。見返し部材５によって、図３に示すように、表示部１の表示領域Ｄ１が規定される。見返し部材５は、表示部１と透光板２との間に位置し、表示部１の外周部を囲むように設けられている。
【００３１】
見返し部材５は、図３に示すように、透光板２の端部２ａを支持する支持部５０と、表示部１に向かって斜降する斜降部５１と、支持部５０から折り曲げられるように形成されて、支持部５０と斜降部５１とを繋ぐ折曲部５２と、を有する。
【００３２】
支持部５０は、ケース４のフランジ４ａに支持される円筒状の部分である。支持部５０の上端には、透光板２の端部２ａに合わせて段差５０ａが形成されており、この段差５０ａに透光板２が載置される。
【００３３】
斜降部５１は、円錐台状の筒形をなしている。斜降部５１は、支持部５０の上端部から折曲部５２を経て、表示部１の表示板１１に向かって斜降する。斜降部５１の先端は、表示板１１とは若干の間隔を空けて位置して当接しない。
【００３４】
図３に示すように、斜降部５１は、表示領域Ｄ１と隣り合う領域Ｄ２に位置する。また、折曲部５２は、領域Ｄ２と隣り合う、領域Ｄ３に位置する。また、後述の挟持部９に挟持される透光板２の端部２ａは、領域Ｄ３と隣り合う、領域Ｄ４内に位置する。まとめると、これらの領域は、表示部１の中心から外径方向に向かって、表示領域Ｄ１、領域Ｄ２、領域Ｄ３、領域Ｄ４の順で位置している。
【００３５】
パッキン６は、円状の透光板２の端部２ａに沿うように円環状に形成された弾性部材（エラストマーなど）からなる。パッキン６は、図３に示すように、断面略Ｌ字状をなし、透光板２の端部２ａの前面と、側面の一部とを覆う。
【００３６】
この実施形態では、パッキン６と見返し部材５とが、透光板２の端部２ａを挟持する挟持部９を構成する。挟持部９は、後述するように、ベゼル７によって外周側からかしめられる。
【００３７】
なお、挟持部９や反射防止部３について、主に、図３を参照して説明しているが、挟持部９や反射防止部３は、表示部１の中心軸線（回転軸１４ａに沿う軸線）周りに概ね回転対称に形成されているため、挟持部９や反射防止部３を、当該軸線を通る任意の断面で切った場合の形状は、図３に示す形状と概ね同様となる。
【００３８】
パッキン６のうち、透光板２の端部２ａの前面を覆う箇所には、当該端部２ａに向かって突起するリブ６ａが形成されている。ベゼル７によって挟持部９がかしめられると、主に、リブ６ａと支持部５０（段差５０ａ）によって、透光板２は挟持される。パッキン６の前面側には、リブ６ａと対応するように溝６ｂが形成されている。この溝６ｂは、挟持部９がかしめられた際に、パッキン６から透光板２に与えられる圧力などを適度に保つために設けられている。
【００３９】
パッキン６のうち、透光板２の端部２ａの側面を覆う箇所は、見返し部材５の支持部５０の天面に向かって垂れ下がる垂下部６ｃとなっている。なお、挟持部９がかしめられると、支持部５０と垂下部６ｃとは密着する。
【００４０】
ベゼル７は、例えば金属からなる枠体であり、後述するリング状部材８と同様に、平面視で円環状に形成されている。ベゼル７は、図３に示すように、ケース４の開口端（フランジ４ａ）と挟持部９（見返し部材５及びパッキン６）とを挟むようにして、かしめて固定する（かしめ固定）。これにより、挟持部９に透光板２を挟み込む力が与えられると共に、透光板２を挟持する挟持部９がケース４に固定される。
【００４１】
リング状部材８は、本発明のリング状部材の一例であり、所定の樹脂などから、図１に示すように平面視で円環状に形成されている。リング状部材８は、主に計器１００の装飾を目的として設けられる。リング状部材８は、透光板２の前面側端部を覆うように設けられる前部８ａを備える。リング状部材８の前部８ａの詳細については、表示板１１とともに後で詳述する。
【００４２】
（反射防止部の形成領域について）
ここからは、図３を参照して、反射防止部３の形成領域について説明する。
この実施形態の計器１００では、反射防止部３は、挟持部９に挟持される透光板２の端部２ａを避けて設けられ、且つ、挟持部９と接触しないように設けられている。具体的には、反射防止部３の端面と透光板２の端部２ａとの間には、適度なクリアランス（領域Ｄ３の幅に相当）が設けられている。このようにしたので、反射防止部３が熱膨張などにより外装部品と接触してしまい、剥がれてしまったり、反射防止部３に気泡が入り込んでしまったりすることを防止できる。
【００４３】
また、斜降部５１の先端（表示領域Ｄ１と領域Ｄ２の境界）は、反射防止部３の周端よりも表示部１の中心側に位置する。この位置関係によれば、反射防止部３の周端は、見返し部材５と重なることになる。そのため、反射防止部３の端面が透光板２を透かしてライン状に視認されることを抑制することができ、見栄えの低下を抑制することができる。
【００４４】
また、計器１００の厚み方向（図３の上下方向）から見て、折曲部５２と斜降部５１の境界（領域Ｄ３と領域Ｄ２の境界）が、反射防止部３の周端と合わせられている。この位置関係によれば、折曲部５２と斜降部５１の角が、反射防止部３の周端の真下に位置することになるため、反射防止部３の端面が透光板２を透かしてライン状に視認されることを、より良好に抑制することができる。
【００４５】
また、計器１００の厚み方向から見て、ベゼル７の前面側の端は、反射防止部３の周端よりも表示部１の中心側に位置する。つまり、ベゼル７の前面側の端（先端）は、領域Ｄ３と領域Ｄ２の境界よりも、領域Ｄ２側に位置する。このようにすれば、表示部１を多少斜めから見た際においても、反射防止部３の端面が目立たなくなるため、見栄えの低下を、より良好に抑制することができる。なお、ベゼル７の前面側の端を、反射防止部３の周端と丁度一致させるようにしてもよい。
【００４６】
なお、凹凸層３１は、モスアイ構造による反射防止性能に併せて、防曇性能を確保すべく、親水性を有して形成されることが好ましい。そうすれば、親水性樹脂から構成されることによる濡れ性と、モスアイ構造との相乗効果によって、計器１００内に存在する水分の凝集によってできた水が、透光板２の背面に形成されても光を乱反射させる粒径（数μｍ〜数十μｍ）の微細な水滴とならず、且つ、接触角が鋭角な状態で保持されることを防ぐことができ、曇りとして白く視認されることを防止することができるためである。結果として防曇剤の塗布が不要となる程度の防塵効果を得ることもできる。このような防塵性能も併せて実現するには、例えば、凹凸層３１を、ＵＶ硬化性樹脂中に親水性ポリマー（タンパク質、ポリエステルアミドなど）を含有させた材料、ＵＶ照射時に親水性を示す光触媒（酸化チタン）を用いた材料などから構成すればよい。
【００４７】
（表示板とリング状部材の前部について）
表示板１１は、主目盛部１１ａ１，第一の副目盛部１１ａ２，第二の副目盛部１１ａ３及び文字部１１ａ４からなる指標部１１ａが形成された板状の部材である。表示板１１の表示面（前面）は、指針１０の回転中心（回転軸１４ａ）を中心とした円状の中央領域（第一の領域の一例）Ｅ１と、中央領域Ｅ１の外周を囲むリング状領域（第二の領域の一例）Ｅ２と、を有する。中央領域Ｅ１には、文字部１１ａ４の一部が形成され、リング状領域Ｅ２には、主目盛部１１ａ１，第一の副目盛部１１ａ２，第二の副目盛部１１ａ３及び文字部１１ａ４の一部が形成されている。表示板１１は、中央部分に指針１０の基部が貫通する貫通孔ＨＬを有する。
【００４８】
主目盛部１１ａ１は、所定の値を示すように配置された複数の目盛からなる。具体的に、計器１００の主目盛部１１ａ１は、−１００ｋＰａ，−８０ｋＰａ，−６０ｋＰａ，−４０ｋＰａ，−２０ｋＰａ，０ｋＰａ，＋５０ｋＰａ，＋１００ｋＰａ，＋１５０ｋＰａ及び＋２００ｋＰａの数値を示す１０個の目盛である。主目盛部１１ａ１は、最小目盛位置が時計目盛位置の６時の位置となり、また最大目盛位置が時計目盛位置の３時の位置となり、指針１０の回転中心を中心とした約２７０°の円弧を描くようにマイナス（負圧）側は間隔が狭く、プラス（正圧）側は間隔がマイナス側よりも広くなる不均等なレイアウトで表示板１１に配置されている。
【００４９】
第一の副目盛部１１ａ２は、主目盛部１１ａ１の各目盛間の内側に配置された複数の目盛からなり、主目盛部１１ａ１の各目盛よりも短く形成されている。具体的に、第一の副目盛部１１ａ２の各目盛は、主目盛部１１ａ１の各目盛間にマイナス側にあっては１個ずつ、プラス側にあっては４個ずつ、すなわち１０ｋＰａ毎に配置されている。
【００５０】
第二の副目盛部１１ａ３は、主目盛部１１ａ１の各目盛間の外側に配置された複数の目盛からなり、主目盛部１１ａ１の各目盛よりも短く形成されている。具体的に、第二の副目盛部１１ａ３の各目盛は、主目盛部１１ａ１の各目盛間にマイナス側にあっては７個ずつ、プラス側にあっては１９個ずつ、すなわち２．５ｋＰａ毎に配置されている。
【００５１】
文字部１１ａ４は、主目盛部１１ａ１が示す数値（の一部）を表した数字や計器１００の種別や表示単位を表す文字からなる。具体的に、計器１００の文字部１１ａ４は、主目盛部１１ａ１が示す数値を表した「０．８」，「０．６」，「０．４」，「０．２」，「０」，「０．５」，「１．０」，「１．５」及び「２．０」なる数字と、計器１００の種別を示す「ＴＵＲＢＯ」なる文字と、表示単位を示す「×１００ｋＰａ」なる数字及び文字と、からなる。
【００５２】
図４は、表示板１１を示す拡大断面図であり、図４（ａ）は図１中のＡ−Ａ線断面図であり、図４（ｂ）は図１中のＦ−Ｆ線断面図である。表示板１１は、指針１０の裏側に位置する。表示板１１は、透過性の基板１１ｂの前面（図３における上面）に、主目盛部１１ａ１となる個所に設けられる凸部１１ｃと、中央領域Ｅ１となる個所に設けられる第一の微細凹凸部１１ｄと、主目盛部１１ａ１の除くリング状領域Ｅ２となる個所に設けられる第二の微細凹凸部１１ｅと、リング状領域Ｅ２の中央領域Ｅ１との境界部分（内側境界部分）となる個所及びリング状領域Ｅ２のリング状領域Ｅ２より外側の外縁領域Ｅ３（図１では図示せず）との境界部分（外側境界部分）となる個所に設けられる平滑部１１ｆと、を備えて構成される。また、表示板１１は、基板１１ｂの背面（図３における下面）に、中央領域Ｅ１及び外縁領域Ｅ３となる個所に設けられる第一の地色層１１ｇと、リング状領域Ｅ２となる個所に設けられる第二の地色層１１ｈと、備えて構成される。
【００５３】
透過性の基板１１ｂは、例えばアクリル、ポリカーボネート樹脂からなる透明または着色された透光性の材料で構成される板状あるいはシート状の部材である。基板１１ｂは、計器１００の外形に対応して、例えば図１に示すように、円板状に形成される。
【００５４】
凸部１１ｃ，第一の微細凹凸部１１ｄ，第二の微細凹凸部１１ｅ及び平滑部１１ｆは、例えば紫外線硬化樹脂層１１ｉで構成され、例えば型成形される。型成形による場合、まず、凸部１１ｃ，第一の微細凹凸部１１ｄ，第二の微細凹凸部１１ｅ及び平滑部１１ｆに対応した形状（凹部，微細凹凸及び平面部）が形成された金型を用意する。次に、前記金型に紫外線硬化樹脂を充填し紫外線硬化樹脂層１１ｉを形成する。次に、紫外線硬化樹脂層１１ｉの前記金型側と反対側の面に基板１１ｂを配置する。次に、基板１１ｂ側から紫外線を照射して紫外線硬化樹脂層１１ｉを硬化させる。次に、紫外線硬化樹脂層１１ｉ及び基板１１ｂを前記金型から剥離させる。これにより、凸部１１ｃ，第一の微細凹凸部１１ｄ，第二の微細凹凸部１１ｅ及び平滑部１１ｆを得ることができる。なお、凸部１１ｃ，第一の微細凹凸部１１ｄ，第二の微細凹凸部１１ｅ及び平滑部１１ｆは樹脂材料による型成形のほか、インクによる印刷成形や基板１１ｂの表面を切削するなどによって形成してもよい。また、第一，第二の微細凹凸部１１ｄ，１１ｅの高さ（微細の程度）は任意であるが、視認者が見て凹凸であることを認識できない程度とすることが望ましい。
【００５５】
凸部１１ｃは、前述のように、基板１１ｂの主目盛部１１ａ１となる個所に第一，第二の微細凹凸部１１ｄ，１１ｅよりも前側に突出するように設けられる。凸部１１ｃの表面には、印刷やホットスタンプ等によって、透光性の着色層１１ｊが設けられる。着色層１１ｊは、任意の色調が選択される。例えば明度の高い白やシルバーによれば第二の光源１６０の非点灯時にも凸部１１ｃの視認性を高めることができ、明度の低い黒やガンメタリックとすれば第二の光源１６０の非点灯時に凸部１１ｃを視認されにくくできる。また、凸部１１ｃの表面は、平滑化処理されてもよい。ここで、平滑化処理とは凸部１１ｃの表面粗さを形成時よりも小さくする（表面を滑らかにする）処理をいう。平滑化処理の具体的手段としては、無色透明層の印刷形成や研磨処理が挙げられる。凸部１１ｃの表面に平滑化処理を施すことによって、凸部１１ｃの表面を光沢度の高い状態にでき、より立体感を強調することができる。また、凸部１１ｃの透明度を上げることができるため透過照明の輝度を向上することができる。
【００５６】
第一の微細凹凸部１１ｄは、前述のように、基板１１ｂの前面の中央領域Ｅ１となる個所に設けられる。図５は図１における表示板１１の部分Ｇの拡大図である。図５に示すように、第一の微細凹凸部１１ｄは、指針１０の回転中心を中心とした同心円状の模様（以下、第一の模様とも言う）をなす。第一の微細凹凸部１１ｄによる第一の模様は、金属板に形成されるヘアラインを表現している金属調模様である。
【００５７】
第二の微細凹凸部１１ｅは、前述のように、基板１１ｂの前面の主目盛部１１ａ１の除くリング状領域Ｅ２となる個所に設けられる。図５に示すように、第二の微細凹凸部１１ｅは、指針１０の回転中心を中心とした放射状（旭光状）の模様（以下、第二の模様とも言う）をなす。第二の微細凹凸部１１ｅによる第二の模様は、金属板に形成されるヘアラインを表現している金属調模様である。また、第二の微細凹凸部１１ｅは、第一の微細凹凸部１１ｄがなす第一の模様（本実施形態では同心円状）とは異なる模様をなすように形成される。ここで「異なる模様」とは、少なくとも微細凹凸の方向が異なるものを言う。
【００５８】
平滑部１１ｆは、前述のように、基板１１ｂの前面のリング状領域Ｅ２の中央領域Ｅ１との境界部分となる個所及びリング状領域Ｅ２の外縁領域Ｅ３との境界部分となる個所に設けられる。平滑部１１ｆは、紫外線硬化樹脂層１１ｉのうち微細凹凸が設けられていない部分であり、第一，第二の微細凹凸部１１ｄ，１１ｅよりも表面粗さが小さく（平滑な）、光沢のある部分である。本実施形態において平滑部１１ｆは平面である。平滑部１１ｆは、少なくとも第一の微細凹凸部１１ｄと第二の微細凹凸部１１ｅとの境界部分に設けられるものであればよく、中央領域Ｅ１のリング状領域Ｅ２との境界部分となる個所や中央領域Ｅ１とリング状領域Ｅ２とを跨ぐ境界部分となる個所に設けられてもよい。さらに、平滑部１１ｆは、平面のほか、微細凹凸部が設けられていない部分であれば、傾斜面や曲面であってもよい。
【００５９】
第一の地色層１１ｇは、任意の第一の色調の遮光性インクを基板１１ｂの裏面に印刷形成してなる。第一の地色層１１ｇの第一の色調は、例えば明度の低い黒やガンメタリックである。第一の地色層１１ｇは、前述のように、基板１１ｂの裏面の中央領域Ｅ１及び外縁領域Ｅ３となる個所に設けられる。また、第一の地色層１１ｇは、文字部１１ａ４となる個所に対応して第一の開口部１１ｋが形成されている。第一の開口部１１ｋは、表側から見て文字部１１ａ４の意匠をなす形状に設けられており、表示板用光源Ｌ３が発した光Ｌ３１が第一の開口部１１ｋから紫外線硬化樹脂層１１ｉを通過して表示板１１の前面側から出射されることで、文字部１１ａ４が透過照明される。なお、第一の開口部１１ｋに透光性の着色層や透明層を形成してもよい。中央領域Ｅ１のうち文字部１１ａ４以外の部分（背景部分）は、第一の地色層１１ｇの第一の色調が視認される。
【００６０】
第二の地色層１１ｈは、第一の地色層１１ｇとは色調の異なる遮光性インクを基板１１ｂの裏面に印刷形成してなる。第二の地色層１１ｈの第二の色調は、第一の地色層１１ｇの第一の色調と明度が異なることが望ましく、例えば明度の高いシルバーである。第二の地色層１１ｈは、前述のように、表示板１１の裏面のリング状領域Ｅ２となる個所に設けられる。また、第二の地色層１１ｈは、主目盛部１１ａ１，第一の副目盛部１１ａ２，第二の副目盛部１１ａ３及び文字部１１ａ４となる個所に対応して第二の開口部１１ｍが形成されている。第二の開口部１１ｍは、表側から見て主目盛部１１ａ１，第一の副目盛部１１ａ２，第二の副目盛部１１ａ３及び文字部１１ａ４の意匠をなす形状に設けられており、表示板用光源Ｌ３が発した光Ｌ３１が第二の開口部１１ｍから紫外線硬化樹脂層１１ｉを通過して表示板１１の前面側から出射されることで、主目盛部１１ａ１，第一の副目盛部１１ａ２，第二の副目盛部１１ａ３及び文字部１１ａ４が透過照明される。なお、第二の開口部１１ｍに透光性の着色層や透明層を形成してもよい。また、第二の開口部１１ｍのうち、主目盛部１１ａ１（凸部１１ｃ）に対応する第二の開口部１１ｍは、主目盛部１１ａ１の各目盛の短手方向において凸部１１ｃの幅よりも幅が広く形成されており（図４（ｂ）参照）、透過照明の際に主目盛部１１ａ１の輪郭が光輝して強調されるようになっている。リング状領域Ｅ２のうち主目盛部１１ａ１，第一の副目盛部１１ａ２，第二の副目盛部１１ａ３及び文字部１１ａ４以外の主な部分は、第二の地色層１１ｈの第二の色調が視認される。
【００６１】
かかる表示板１１の構造によれば、表示板１１の表示領域のうち、中央領域Ｅ１においては基板１１ｂの前面に第一の微細凹凸部１１ｄが形成され、背面に第一の地色層１１ｇが形成される。一方で、リング状領域Ｅ２においては基板１１ｂの前面に第二の微細凹凸部１１ｅが形成され、背面に第二の地色層１１ｈが形成される。したがって、中央領域Ｅ１とリング状領域Ｅ２とは、互いに色調が異なり、かつ、前面に施される微細凹凸の模様が異なる。これにより、色調の変化に加えて、前面に照射される外光の反射の具合（表面の光り方）も異なるため、背景部分となる中央領域Ｅ１とリング状意匠をなすリング状領域Ｅ２とで、質感の変化を大きくすることができ、リング状意匠の立体感を高めることができる。
また、リング状領域Ｅ２のうち、第一の微細凹凸部１１ｄと第二の微細凹凸部１１ｅとの間を含む平滑部１１ｆが設けられた境界部分においては、第一，第二の微細凹凸部１１ｄ，１１ｅのいずれとも外光の反射の具合が異なり、平滑部１１ｆでの外光の反射によってリング状領域Ｅ２にリングの角を面取り（Ｃ面）したような質感を得ることができる。これにより、リング状意匠の立体感をさらに高めることができる。また、平滑部１１ｆによって第一，第二の地色層１１ｇ，１１ｈの印刷ズレが認識されにくくなり、歩留まりが向上する。
また、リング状領域Ｅ２において、基板１１ｂの前面には主目盛部１１ａ１の意匠をなす凸部１１ｃが設けられている。これにより、リング状領域Ｅ２の前面に実際に立体的な変化が生じるためリング状意匠の立体感をさらに高めることができる。
【００６２】
図６は、図１（ａ）のＨ−Ｈ断面図である。リング状部材８は、前部８ａを含む所定の樹脂からなる基部８ｂの表面（ユーザから見える外側の面）に、第三の地色層８ｃとして表示板１１の第ニの地色層１１ｈと色調が同様である遮光性インクを印刷形成してなる。ここで、第三の地色層８ｃの第三の色調は、第ニの地色層１１ｈの第ニの色調と同様に例えばシルバーである。また、図５及び図６に示すように、リング状部材８の前部８ａには、表示板１１の第ニの微細凹凸部１１ｅによる第ニの模様と同様の模様をなす第三の微細凹凸部８ｄが設けられる。第三の微細凹凸部８ｄは、前述の第ニの微細凹凸部１１ｅと同様に、例えば紫外線硬化樹脂層８ｅで構成され、型成形で形成される。その他、インクによる印刷成形や蒸着などによって形成してもよい。第三の微細凹凸部８ｄは、第ニの微細凹凸部１１ｅがなす第ニの模様と同様の模様を成すように、指針１０の回転中心を中心とした放射状（旭光状）の模様をなす（以下、第三の模様とも言う）。ここで、「同様の模様」とは、少なくとも微細凹凸の方向が概ね同じ（完全に同じ場合を含む）ものを言う。本実施形態の例においては、放射状の模様であれば、第ニの模様と同様の模様であると言える。
【００６３】
かかるリング状部材８の前部８ａによれば、表示板１１の外側に設けられるリング状領域Ｅ２と同様の色調及び模様を有することから、表示板１１（のリング状領域Ｅ２）とリング状部材８との一体感が増し、計器１００全体の見栄えの低下を抑制することができる。
【００６４】
以上の作用及び効果は、下記の構成によって得ることができる。
【００６５】
本実施形態の計器１００は、計測量を表示する表示部１と、
表示部１の前面側に位置し、表示部１を透かして視認させる透光板２と、
透光板２の前面側端部を覆う前部８ａを有するリング状部材８と、
透光板２の表示部１側の面に設けられ、可視光の波長以下のピッチで配列された複数の錐状突起３１ａを有する反射防止部３と、を備え、
表示部１は、透光性の基板１１ｂの前面に所定の模様をなす微細凹凸部（第二の微細凹凸部１１ｅ）が形成され、基板１１ｂの背面に所定の色調である地色層（第二の地色層１１ｈ）が形成されてなる表示板１１を有し、
リング状部材８は、前部８ａに前記地色層と同様の色調である他の地色層（第三の地色層８ｃ）、及び、前記微細凹凸部と同様の模様をなす他の微細凹凸部（第三の微細凹凸部８ｄ）が形成されてなる。
【００６６】
また、表示板１１は、基板１１ｂの前面に前記模様をなす前記微細凹凸部が形成され、基板１１ｂの背面に前記色調である前記地色層が形成されてなるリング状領域Ｅ２を備えてなる。
【００６７】
なお、本発明は以上の実施形態及び図面によって限定されるものではない。本発明の要旨を変更しない範囲で、適宜、変更（構成要素の削除も含む）を加えることが可能である。
【００６８】
（変形例）
本実施形態では、リング状部材８の前部８ａに、表示板１１の第二の地色層１１ｈと同様の色調である第三の地色層８ｃ（他の地色層）と、表示板１１の第二の微細凹凸部１１ｅと同様の模様をなす第三の微細凹凸部８ｄ（他の微細凹凸部）と、の双方を設ける構成であったが、本発明の他の地色層及び他の微細凹凸部は、いずれか一方がリング状部材の前部に形成されてもよい。また、リング状部材８は、樹脂からなるものであったが、本発明のリング状部材は金属からなるものであってもよい。この場合、研磨等の表面加工により基部に直接他の微細凹凸部を形成してもよく、基部自身が他の地色層を兼ねてもよい。
【００６９】
以上では、表示部１が指針式表示部で構成される例を説明したが、透光板２を透かして視認される表示部１は、表示板を備えるものであれば、計測量を示す画像を表示する画像表示部であってもよい。画像表示部は、例えば液晶ディスプレイ（ＬＣＤ：Liquid Crystal Display）や、有機ＥＬ（Electro-Luminescence）ディスプレイなどを備え、表示板はこれらディスプレイの画面を囲むように配置される。なお、画像表示部による計測量の表示は、計測値を数字や文字で具体的に表示する態様だけでなく、バーグラフや指針画像を表示することで、ユーザに計測量を対比判読させる態様を含む。
【００７０】
また、透光板２や反射防止部３の形状は、円状に限られない。楕円形、矩形、多角形状などであってもよい。これに伴い、本発明のリング状部材の形状も、同様に円状には限られない。
【００７１】
計器１００が搭載される乗り物は、車両（自動四輪車、自動二輪車などを含む）に限定されるものではない。農耕機械、船舶、航空機、スノーモービル、ジェットスキーなどの他の乗り物に搭載されてもよい。また、計器１００は、例えば屋外設置の気圧計などであってもよく、乗り物に搭載されてなくともよい。
【００７２】
以上の説明では、本発明の理解を容易にするために、公知の技術的事項の説明を適宜省略した。
【産業上の利用可能性】
【００７３】
本発明は、計器に好適であり、詳しくは、微細な錐状突起を有する反射防止部を備える計器に好適である。
【符号の説明】
【００７４】
１００…計器
１…表示部、１１…表示板、１１ｂ…基板、１１ｅ…第二の微細凹凸部、１１ｈ…第二の地色層
２…透光板、２ａ…端部
３…反射防止部、３０…基材、３１…凹凸層、３１ａ…錐状突起
４…ケース
５…見返し部材
６…パッキン
７…ベゼル
８…リング状部材、８ａ…前部、８ｃ…第三の地色層（他の地色層）、８ｄ…第三の微細凹凸部（他の微細凹凸部）
９…挟持部
【図１】
2018132429.tif 000003
【図２】
2018132429.tif 000004
【図３】
2018132429.tif 000005
【図４】
2018132429.tif 000006
【図５】
2018132429.tif 000007
【図６】
2018132429.tif 000008